(57)【特許請求の範囲】
【請求項１】
一側の端部に糊代片を有し、表面に複数の折り曲げ罫線が付された所定形状のプラスチックシートが、前記糊代片をシートの他側の端部に固着して筒状に形成された状態で前記折り曲げ罫線のうちの二本の罫線で二つ折り状に折り曲げられ、物品を包装する際に前記二つ折りのシートを立体化して六面体に組み立てられる包装用ケースにおいて、
前記糊代片が固着されるシートの他側の端部にケース内部に折り込まれる仕切片が突設されているとともに、この仕切片を内折れさせる、仕切片と前記他側の端部の境界に設けられた折り曲げ罫線が、仕切片の突出方向とは逆側へ湾曲乃至屈曲した部分を有する形状に設けてあることを特徴とする包装用ケース。
【請求項２】
仕切片を内折れさせる折り曲げ罫線を、円弧状、台形状又はＶ字状に湾曲乃至屈曲した部分を有する形状に設けてあることを特徴とする請求項１に記載の包装用ケース。
【請求項３】
仕切片の上辺又は下辺の輪郭を円弧形状に設けたことを特徴とする請求項１又は２に記載の包装用ケース。
【請求項４】
仕切片が上側仕切片と下側仕切片とに分断され、それぞれ形状が異なる折り曲げ罫線で内折れするように設けてあることを特徴とする請求項１〜３の何れかに記載の包装用ケース。
【発明の詳細な説明】
【技術分野】
【０００１】
本発明は、化粧品や日用品、その他の物品を収納して販売や展示に供するのに好適なプラスチックシート製の包装用ケースに係り、ケース内部に物品の収納空間を区画する仕切片を備えた構成のものに関する。
【背景技術】
【０００２】
化粧品などの小間物を包装する容器として、透明度の高いＡ−ＰＥＴなどのプラスチックシートを折り曲げて箱状に組み立ててなる包装用ケースが用いられている。かかる包装用ケースにおいて、ケース内部で物品を所定の位置に保持したり複数の物品を仕切って収納したりする場合に、ケース内の収納空間を区画する仕切片を備えた構成のものが利用されている。
【０００３】
図８は仕切片を備えた包装用ケースの一例の展開図であり、このケースはプラスチックシートを打ち抜いて、正面Ａ、背面Ｂ、左右側面Ｃ，Ｄ、上下蓋面Ｅ，Ｆ及び差込み面Ｇの各面部と糊代片Ｈと仕切片Ｉとを有する形状のシートＳを形出し、このシートＳを側面部Ｄに接着剤などで糊代片Ｈを貼り合わせて筒状とし、シート表面に付された折り曲げ罫線１〜６に沿って前記各面部を折り曲げるとともに、折り曲げ罫線７に沿って仕切片Ｉをケース内部に内折れさせて、六面箱形に組み立てられるものである（例えば特許文献１参照）。
【先行技術文献】
【特許文献】
【０００４】
【特許文献１】特開２００４−２４４０９４号公報
【発明の概要】
【発明が解決しようとする課題】
【０００５】
前記図示したケースは、図９（Ａ）に示されるように、筒状にしたシートＳを正面部Ａと側面部Ｄの間の罫線４と、背面部Ｂと側面部Ｃの間の罫線２で折り曲げて、シートＳを偏平な二つ折り状にしたまま多数積み重ねて保管や運搬に供され、また、同図（Ｂ）に示されるように、前記二つ折り偏平状のシートＳを開いて立体化し、箱形のケースに組み立てて仕切片Ｉで区画された空間に物品Ｔを収納して包装するものである。
しかし、ケースを組み立てる際に、二つ折り状のシートＳの内部で各面部間に折り重なった仕切片ＩはシートＳを立体化しても偏平なままであり、そのままでは物品Ｔの収納に支障を来してしまう。そのため、シートＳの上下蓋面部Ｅ，Ｆの開口から筒状のシートＳ内に操作ピンを差し込むなどして仕切片Ｉを引き起こす補助操作が必要となるなどケースの組み立てに手間を要していた。
また、仕切片Ｉがケース内部で適正な仕切り位置に屈曲し保形されていないと、物品Ｔの収納作業にも手間を要するばかりでなく、ケース内部で物品Ｔの保持が不十分となって包装された物品Ｔの見栄えを悪くするという問題があった。
【０００６】
本発明は従来技術の有するこのような問題点に鑑み、所定形状のプラスチックシートを折り曲げて六面体に組み立てられる包装用ケースにおいて、二つ折りにした仕切片付きのケースを確実且つ容易に開口し立体化して箱形に組み立てることができ、仕切片でケース内部を正確に区画して、物品を所定の位置に保持して包装することができるようにすることを課題とする。
【課題を解決するための手段】
【０００７】
前記課題を解決するため本発明は、一側の端部に糊代片を有し、表面に複数の折り曲げ罫線が付された所定形状のプラスチックシートが、前記糊代片をシートの他側の端部に固着して筒状に形成された状態で前記折り曲げ罫線のうちの二本の罫線で二つ折り状に折り曲げられ、物品を包装する際に前記二つ折りのシートを立体化して六面体に組み立てられる包装用ケースにおいて、
前記糊代片が固着されるシートの他側の端部にケース内部に折り込まれる仕切片が突設されているとともに、この仕切片を内折れさせる、仕切片と前記他側の端部の境界に設けられた折り曲げ罫線が、仕切片の突出方向とは逆側へ湾曲乃至屈曲した部分を有する形状に設けてあることを特徴とする。
【０００８】
前記構成の包装用ケースによれば、仕切片を内折れさせる折り曲げ罫線を、その突出方向とは逆側、つまりシート内方へ湾曲乃至屈曲した形状に設けてあるので、筒状に設けたシートを二つ折り状にすると、前記湾曲乃至屈曲した折り曲げ罫線によって内折れした仕切片を起こす或いは開かせる応力が作用し、そのため二つ折りにしたシートの上下の面部がぴったりと重ならず、仕切片を挟んだ上下の面部間に間隙が形成される。そして、ケースを組み立てる際に二つ折り状シートの両側端に内向きに力を加えれば、上下の面部間に間隙が確保されているため、重なったシートがスムーズに開き、これに伴いケース内で仕切片が自動で起き上がるため、シートを容易に立体化して箱形のケースを組み立てることができる。
この際、二つ折り状シートの両側端に力を加えてシートを開口させれば、仕切片は前記湾曲乃至屈曲した折り曲げ罫線の軸廻りに作用する応力によって自動で起き上がって所定の角度まで屈曲し、立体化したケース内部はケース内に延出した仕切片によって所定の収納空間に仕切られる。
また、ケース組み立て前に二つ折りにしたシートを多数積み重ねて保管するなどして、積み重なったシート群の下層のシートが鉛直下向きの荷重により偏平になっていたとしても、保管場所からシートを取り出せば、前記仕切片の湾曲乃至屈曲した折り曲げ罫線の軸廻りに作用する応力によって仕切片が自動で起き上がって偏平なシートは元の形状に復元し、シートをスムーズに立体化させることができる。
また、前記構成のケースを立体化させると、前記湾曲乃至屈曲した折り曲げ罫線によって折り曲げられる仕切片全体が上下方向に沿って湾曲するため、組み立てたケース内に収納した物品の表面に仕切片の湾曲した先端部分が圧接し、物品を仕切片の先端部分で押し付けてケース内部に保持することができる。
【０００９】
前記構成の包装用ケースにおいて、仕切片を内折れさせる折り曲げ罫線は、円弧状、台形状又はＶ字状に湾曲乃至屈曲した部分を有する形状に設けることができる。湾曲乃至屈曲した部分は、折り曲げ罫線の一部に部分的に設けることができるが、折り曲げ罫線の全体を湾曲乃至屈曲させて形成することが好ましい。
【００１０】
また、前記構成の包装用ケースにおいて、仕切片の上辺又は下辺の輪郭を円弧形状に設けることが好ましい。
立体化したケースの上蓋面部と対向する仕切片の上辺、又は下蓋面部と対向する仕切片の下辺の輪郭を円弧状に形成すれば、上蓋面部又は下蓋面部が面する開口からケース内部に物品を収納する際に、物品の表面に仕切片が引っ掛かるようなことはなく、物品は前記円弧状の周辺に沿って案内されてケース内部にスムーズに収納される。
【００１１】
また、ケースに高さの異なる複数の物品を収納する場合に前記包装用ケースは、仕切片を上側仕切片と下側仕切片とに分断して設けるとともに、それぞれ形状が異なる折り曲げ罫線で内折れするように構成することが好ましい。
上下の仕切片の折り曲げ罫線の形状を異ならせれば、それぞれの折り曲げ罫線の軸廻りに作用する応力によって上下の仕切片の屈曲角度が異なり、ケース内部で上下の仕切片は位置をずらして延出する。そして、上側仕切片で区画された収納空間に物品をそれぞれ収納するとともに、高さが低い物品は下側仕切片の上に載せて支持し、各物品をケース内に見栄え良く収納することができる。なお、上下の仕切片の折り曲げ罫線は、湾曲乃至屈曲度合いを異ならせたり当該罫線の上下端部を結ぶ線分からのずれ幅を異ならせたりするなどして、ケースを立体化したときに上下の仕切片の屈曲角度が異なってケース内部で位置をずらして延出するのであれば、それぞれ適宜な形状に設けることができる。
【００１２】
前記構成において、ケースを構成するシートの材質としては、耐折性が良好なポリエチレンテレフタレート、ポリプロピレン、ポリエチレン、ポリカーボネート、或いはポリ乳酸などの生物由来性樹脂、その他の樹脂単体又はこれらの複合体からなるプラスチックシートを用いることができる。特にポリエチレンテレフタレート製のシートは、透明性が良好で剛性が高い点で好ましく、中でもアモルファスＰＥＴ（Ａ−ＰＥＴ）は、より透明性が良好で且つ未延伸であるためシートの方向に関係なく強度が高い点で好ましい。
シートの肉厚は、０．１〜０．８ｍｍに設定することができる。０．１ｍｍより薄いと面部の折れ曲がりや破損を来しやすくなり、０．８ｍｍよりも厚いと折り曲げ加工に要する圧力は大となる。耐折性や剛性などを考慮すると、０．２〜０．６ｍｍに設定することが好ましい。
【００１３】
シートに形成される折り曲げ罫線の種類は問わず、ミシン目などのスリットを断続させた罫線や凹穴状の押し罫線、Ｖ字やＵ字状、台形状の溝を断続又は連続させた罫線、溝内を二段溝状とした二段罫線、筋状の溝を平行に近接配置した罫線などシートを罫線に沿って折り曲げることが可能な適宜な種類の罫線をケースの寸法やシートの材質、剛性、厚みなどに応じて適宜に設定することができる。
仕切片を内折れさせる折り曲げ罫線は、これを湾曲乃至屈曲させた形状に設けることにより、当該罫線の上下端部を結んだ線分から適宜な幅ずれたものとなり、折り曲げ罫線をどれ程ずらして形成するか、或いはどれ程の湾曲乃至屈曲度合いとするかは、シートの材質、剛性、厚み、或いは必要とされる仕切片の屈曲角度などに応じて適宜に設定可能である。Ａ−ＰＥＴ製の肉厚０．１〜０．８ｍｍシートの場合、前記線分からのずれ幅の大きさ又は湾曲度合いを、罫線の長さ１００ｍｍに対して０．１〜１．０ｍｍの範囲に設定することが好ましい。
【図面の簡単な説明】
【００１４】
【図１】本発明の第一実施形態のプラスチックケースを構成するシートの展開図である。
【図２】（Ａ）は図１のシートを二つ折り状にしたときの切断端面図、（Ｂ）はケースに組み立てた状態の外観図である。
【図３】図１のシートを組み立てたケースに物品を収納した状態のケースの横断端面図である。
【図４】（Ａ）、（Ｂ）は仕切片を内折れさせる折り曲げ罫線の他の形態を示すシートの要部展開図である。
【図５】本発明の第二実施形態のプラスチックケースを構成するシートの展開図である。
【図６】図５のシートをケースに組み立てた状態の外観図である。
【図７】図５のシートを組み立てたケースに物品を収納した状態の上下の仕切片を示したケースの横断端面図である。
【図８】従来の仕切片付きケースを構成するシートの一例の展開図である。
【図９】（Ａ）は図８のケースの二つ折り状態の切断端面図、（Ｂ）は組み立てたケースに物品を収納した状態の横断端面図である。
【発明を実施するための形態】
【００１５】
本発明の好適な実施形態を図面に基づいて説明する。
本発明のケースは、所定形状の透明なプラスチックシートを折り曲げて六面体に組み立てられる包装用ケースであり、図１は第一実施形態のケースを展開したシートの構成を示している。
【００１６】
このシートＳは、各々矩形の板面からなる、正面部Ａ、背面部Ｂ、左右側面部Ｃ，Ｄ及び糊代片Ｈの各面部を連設するとともに各面部の境界に折り曲げ罫線１，２，３，４を形成するとともに、正面部Ａの上下縁部に罫線５，５を挟んで上下蓋面部Ｅ，Ｆを設け、左右側面部Ｃ，Ｄの上下縁部には罫線６を挟んで差込み面部Ｇを各々設け、上下蓋面部Ｅ，Ｆの先端に罫線を挟んで差込み片部Ｅａ，Ｆａを設け、さらに側面部Ｄの側端部に仕切片Ｉを突出し、この仕切片Ｉを側面部Ｄとの境界に設けた折り曲げ罫線７で内折れするように形成してある。上蓋面部Ｅ内には、折り曲げ罫線５に沿って孔付きの吊り下げ片Ｅｂを形成してある。
そして、同図に示されるように、正面部Ａ、背面部Ｂ、左右側面部Ｃ，Ｄ及び糊代片Ｈの各面部間に付された折り曲げ罫線１，２，３，４を上下蓋面Ｅ，Ｆと差込み面部Ｇとの間の折り曲げ罫線５，６と直交する直線形状に設ける一方、左側面部Ｄと仕切片Ｉとの間の折り曲げ罫線７を直線的に設けずに、当該罫線７の上下端部を結ぶ仮想線分Ｘからずれた部分を有する曲線形状に設けてある。
【００１７】
詳しくは、仕切片Ｉは、側面部Ｄの側端から正面部Ａの略１／２の幅分だけ外方へ突出し、且つその上辺Ｉａの輪郭を湾曲しつつ下り傾斜した形状に設けてある。
また、仕切片Ｉを内折れさせる折り曲げ罫線７は、その上下端部を結ぶ仮想線分Ｘに対して、罫線全体が仕切片Ｉの突出方向とは逆側、すなわち同図中で右方にずれて張り出し、前記上下端部から仮想線分Ｘの中間部に近づく程仮想線分Ｘとのずれ幅が増加し、仮想線分Ｘの略中間部分でずれ幅Ｓが最大となる、湾曲した山形に形成してある。
【００１８】
このように形成されたシートＳは、仕切片Ｉを折り曲げ罫線７に沿って内折れさせるとともに、糊代片Ｈを側面部Ｄの端部外面に折り曲げ、これを接着剤などで一体に接着して筒形に形成し、この状態で、図２（Ａ）に示されるように、罫線２と罫線４で筒状のシートＳを二つ折り状に折り曲げて保管や運搬に供され、物品を包装する際に二つ折りのシートを立体化して六面体のケースに組み立てられる。
二つ折りにしたシートＳは、湾曲した折り曲げ罫線７によって内折れした仕切片Ｉにこれを起こす或いは開かせる応力が作用するため、シートＳの上下の面部がぴったりとは重ならず、仕切片Ｉを挟んだ上下の面部間に間隙が形成される。そして、ケースを組み立てる際に二つ折り状シートＳの両側端に内向きに力を加えれば、上下の面部間に間隙が確保されているため、重なったシートＳがスムーズに開き、これに伴いケース内で仕切片Ｉが自動で起き上がるため、シートＳを容易に立体化して箱形のケースを組み立てることができる。
この際、二つ折り状シートＳの両側端に力を加えてシートを開口させれば、仕切片Ｉは折り曲げ罫線７の軸廻りに作用する応力によって自動で起き上がって所定の角度まで屈曲し、図２（Ｂ）に示されるように、立体化したケースの内部は、ケース内に延出した仕切片Ｉに適宜な大きさの空間に仕切られる。
そして、上蓋面部Ｅを開いてできた開口からケース内に物品を挿入すれば、物品は仕切片Ｉの湾曲した上辺Ｉａに案内されて、図３に示されるように、仕切片Ｉで仕切られたケース内部の収納空間に物品Ｔ１，Ｔ２をスムーズに収納することができる。この際、仕切片Ｉは全体が湾曲するため、収納した物品Ｔ１の表面に仕切片Ｉの湾曲した先端部分が圧接し、物品Ｔ１をその表面に仕切片Ｉの先端部分を押し付けてケース内部に保持することができる。
【００１９】
仕切片Ｉを内折れさせる折り曲げ罫線７は、前記の如く湾曲した山形に形成する他に、例えば図４（Ａ）に示されるように、仕切片Ｉの突出方向とは反対側に膨出していて当該罫線７と仮想線分Ｘとが台形状をなすように形成したり、同図（Ｂ）に示されるように、仕切片Ｉの突出方向とは反対側に略Ｖ字形に膨出した形状をなすように形成したりしてもよい。
【００２０】
図５は本発明の第二実施形態のケースを展開したシートの構成を示しており、この形態は、前記形態の仕切片Ｉに代えて、互いに分断した上側仕切片Ｉ１と下側仕切片Ｉ２を側面部Ｄの端部から外方へ突出させ、両仕切片Ｉ１、Ｉ２と側面部Ｄの境界に折り曲げ罫線７１、７２を形成して内折れするように設けるとともに、両罫線の形状を異ならせて、ケースを組み立てたときに上側仕切片Ｉ１の方が下側仕切片Ｉ２よりも大きく屈曲してケース内部に延出するように構成したものである。
【００２１】
詳しくは、上側仕切片Ｉ１はその上辺を湾曲させて側面部Ｄの側端から正面部Ａの略１／２の幅分だけ外方へ突出し、下側仕切片Ｉ２は側面部Ｄの側端から正面部Ａと略同じ幅分だけ外方へ突出した形状に形成してある。
また、上側仕切片Ｉ１の折り曲げ罫線７１と下側仕切片Ｉ２の折り曲げ罫線７２をともに山形に湾曲した形状に設けるとともに、双方の罫線７１、７２の仮想線分Ｘとのずれ幅を上側仕切片Ｉ１の折り曲げ罫線７１のずれ幅Ｓ１の方が下側仕切片Ｉ２の折り曲げ罫線７２のずれ幅Ｓ２よりも大きくなるように設定して、ケースを立体化したときに、上側仕切片Ｉ１がケース内方へ大きく屈曲し、下側仕切片Ｉ２がそれよりも小さく屈曲するように設けてある。
【００２２】
このように形成されたシートＳは、前記形態と同様に、仕切片Ｉ１，Ｉ２を折り曲げ罫線７１，７２に沿って内折れさせるとともに、糊代片Ｈを側面部Ｄの端部外面に折り曲げ、これを接着して筒形に形成し、罫線２と罫線４で筒状のシートＳを二つ折り状に折り曲げて保管や運搬に供され、物品を包装する際に二つ折りのシートを立体化して六面体のケースに組み立てられる。
二つ折りにしたシートＳは、湾曲した折り曲げ罫線７１，７２によって内折れした仕切片Ｉ１，Ｉ２にこれを起こす或いは開かせる応力が作用するため、ケースを組み立てる際に二つ折り状シートＳの両側端に内向きに力を加えれば、重なったシートＳがスムーズに開き、これに伴いケース内で仕切片Ｉ１，Ｉ２が自動で起き上がり、シートＳを容易に立体化して箱形のケースを組み立てることができる。
上下の仕切片Ｉ１，Ｉ２の折り曲げ罫線７１，７２は形状を異ならせてあるため、図６に示されるように、ケース内部でそれぞれ上下に位置をずらして延出する。そして、上蓋面部Ｅを開いてできた開口からケース内に物品を挿入すれば、図７に示されるように、物品は上側仕切片Ｉ１で仕切られたケース内部の収納空間に物品Ｔ１，Ｔ２が収納され、高さが低い物品Ｔ２は下側仕切片Ｉ２の上に載せて支持し、両物品Ｔ１，Ｔ２をケース内に見栄え良く収納することが可能である。
【００２３】
なお、図示したケースは本発明の実施形態の一例を示すものであり、本発明の包装用ケースはこれに限定されず、収納する物品の大きさや形状、包装の態様などに応じて適宜な形態で構成することが可能である。箱状に組み立てたケースの下蓋面部Ｆを開けて物品Ｔを収納する場合、仕切片Ｉの下辺の輪郭を湾曲させることによりスムーズに収納が可能である。
【符号の説明】
【００２４】
Ｓ  シート、Ａ  正面部、Ｂ  背面部、Ｃ，Ｄ  側面部、Ｅ，Ｆ  蓋面部、Ｇ  差し込み面部、Ｈ  糊代片、Ｉ  仕切片、Ｉ１  上側仕切片、Ｉ２  下側仕切片、１〜７  折り曲げ罫線、Ｓ  シート、Ｘ  仮想線分、Ｔ１，Ｔ２  物品
【図１】
0005632153.tif 000002
【図２】
0005632153.tif 000003
【図３】
0005632153.tif 000004
【図４】
0005632153.tif 000005
【図５】
0005632153.tif 000006
【図６】
0005632153.tif 000007
【図７】
0005632153.tif 000008
【図８】
0005632153.tif 000009
【図９】
0005632153.tif 000010